(57)【特許請求の範囲】
【請求項１】
第１の無線アクセス技術（ＲＡＴ）ネットワークに接続されている間、第２のＲＡＴネットワークにおいて測定が行われる状態に入ることと、
少なくとも第１の条件が満たされたとき、前記第２のＲＡＴネットワークにおいて行われる測定のレートを選択的に増加させることであって、前記第２のＲＡＴネットワークにおける測定の前記レートを、整数乗数と、前記第１のＲＡＴネットワークのために定義されたＤＲＸサイクルの周波数との積として計算される所定の最大レートに設定することを備える、選択的に増加させることと、
少なくとも第２の条件が満たされたとき、前記第２のＲＡＴネットワークにおいて行われる測定の前記レートを選択的に低減することと
を備える、ユーザ機器（ＵＥ）によって行われるワイヤレス通信の方法。
【請求項２】
前記第２のＲＡＴネットワークにおいて行われる測定の前記レートを低減することが、前記第２のＲＡＴネットワークにおいて行われる測定の前記レートを測定の最小レートに設定することを備える、請求項１に記載の方法。
【請求項３】
測定の前記最小レートが、前記第１のＲＡＴネットワークのために構成された非連続受信（ＤＲＸ）サイクルに関連する周波数に対応する、請求項２に記載の方法。
【請求項４】
測定の前記最小レートが、前記第１のＲＡＴネットワークのために構成されたＤＲＸサイクルに関連する周波数の整数倍に対応する、請求項２に記載の方法。
【請求項５】
前記状態がアイドル状態を備える、請求項１に記載の方法。
【請求項６】
前記第２のＲＡＴネットワークにおいて測定の前記レートを低減することが、前記整数乗数を低減することを備える、請求項１に記載の方法。
【請求項７】
前記第２の条件は、前記第２のＲＡＴネットワークにおける測定されたサービス品質が、予め定義されたしきい値を下回ることに関する、請求項１に記載の方法。
【請求項８】
前記第１のＲＡＴネットワークと前記第２のＲＡＴネットワークとの優先度が定義され、前記第２のＲＡＴネットワークが前記第１のＲＡＴネットワークよりも高い優先度を有する、請求項１に記載の方法。
【請求項９】
前記第１のＲＡＴネットワークにおいて送信されるシステム情報ブロックが、前記第２のＲＡＴネットワークにおける測定の増加されたレートまたは減少されたレートのうちの少なくとも１つを判断するために使用されるＤＲＸサイクルの周波数を定義する、請求項１に記載の方法。
【請求項１０】
前記第１の条件と前記第２の条件とのうちの少なくとも１つは、前記第２のＲＡＴネットワークにおける基準シンボル受信電力、キャリア受信信号強度インジケータ、または基準信号受信品質のうちの少なくとも１つがしきい値を超えることに関する、請求項１に記載の方法。
【請求項１１】
前記第１の条件と前記第２の条件とのうちの少なくとも１つが前記ＵＥのバッテリー電力に関する、請求項１に記載の方法。
【請求項１２】
前記第１の条件と前記第２の条件とのうちの少なくとも１つが時刻に関する、請求項１に記載の方法。
【請求項１３】
前記第１の条件と前記第２の条件とのうちの少なくとも１つが、前記第１のＲＡＴネットワークと前記第２のＲＡＴネットワークとのうちの少なくとも１つの負荷に関する、請求項１に記載の方法。
【請求項１４】
第１のＲＡＴネットワークに接続されている間、第２の無線アクセス技術（ＲＡＴ）ネットワークにおいて測定が行われる状態に入るための手段と、
少なくとも第１の条件が満たされたとき、前記第２のＲＡＴネットワークにおいて行われる測定のレートを選択的に増加させるための手段であって、前記第２のＲＡＴネットワークにおける測定の前記レートを、整数乗数と、前記第１のＲＡＴネットワークのために定義されたＤＲＸサイクルの周波数との積として計算される所定の最大レートに設定するための手段を備える、選択的に増加させるための手段と、
少なくとも第２の条件が満たされたとき、前記第２のＲＡＴネットワークにおいて行われる測定の前記レートを低減するための手段と
を備える、ユーザ機器（ＵＥ）によるワイヤレス通信のための装置。
【請求項１５】
ワイヤレス通信のためのコンピュータプログラムであって、実行されると、少なくとも１つのコンピュータに、請求項１から１３のうちの１つに記載の方法を行わせるプログラムコードを備える、コンピュータプログラム。
【発明の詳細な説明】
【関連出願】
【０００１】
米国特許法第１１９条による優先権の主張
[0001]  本特許出願は、本出願の譲受人に譲渡され、参照により本明細書に明確に組み込まれる、２０１２年３月３０日に出願された米国仮出願第６１／６１８，５６４号の優先権を主張する。
【技術分野】
【０００２】
[0002]  本開示は、一般に通信システムに関し、より詳細には、複数の無線技術を使用する通信システムに関する。
【背景技術】
【０００３】
[0003]  ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これら多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイル電気通信システム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるので、ＬＴＥ技術におけるさらなる改善の必要がある。好ましくは、これら改善は、他の多元接続技術、並びにこれら技術を採用する電気通信規格に適用可能であるべきである。
【発明の概要】
【０００５】
[0005]  本開示の態様は、ユーザ機器（ＵＥ：user equipment）によって行われるワイヤレス通信の方法を提供する。本方法は、概ね、第１の無線アクセス技術（ＲＡＴ：radio access technology）ネットワークに接続されている間、第２のＲＡＴネットワークにおいて測定が行われる状態に入ることと、少なくとも第１の条件が満たされたとき、第２のＲＡＴネットワークにおいて行われる測定のレートを選択的に増加させることと、少なくとも第２の条件が満たされたとき、第２のＲＡＴネットワークにおいて行われる測定のレートを選択的に低減することとを含む。
【０００６】
[0006]  本開示の態様は、ユーザ機器（ＵＥ）によるワイヤレス通信のための装置を提供する。本装置は、概ね、第１のＲＡＴネットワークに接続されている間、第２の無線アクセス技術（ＲＡＴ）ネットワークにおいて測定が行われる状態に入るための手段と、少なくとも第１の条件が満たされたとき、第２のＲＡＴネットワークにおいて行われる測定のレートを選択的に増加させるための手段と、少なくとも第２の条件が満たされたとき、第２のＲＡＴネットワークにおいて行われる測定のレートを低減するための手段とを含む。
【０００７】
[0007]  本開示の態様は、ユーザ機器（ＵＥ）によるワイヤレス通信のための装置を提供する。本装置は、概ね、第１のＲＡＴネットワークに接続されている間、第２の無線アクセス技術（ＲＡＴ）ネットワークにおいて測定が行われる状態に入ることと、少なくとも第１の条件が満たされたとき、第２のＲＡＴネットワークにおいて行われる測定のレートを選択的に増加させることと、少なくとも第２の条件が満たされたとき、第２のＲＡＴネットワークにおいて行われる測定のレートを選択的に低減することとを行うように構成された少なくとも１つのプロセッサと、その少なくとも１つのプロセッサに結合されたメモリとを含む。
【０００８】
[0008]  本開示の態様は、命令を格納した非一時的コンピュータ可読媒体を備えるユーザ機器（ＵＥ）によるワイヤレス通信のためのコンピュータプログラム製品を提供する。命令は、概ね、第１の無線アクセス技術（ＲＡＴ）ネットワークに接続されている間、第２のＲＡＴネットワークにおいて測定が行われる状態に入ることと、少なくとも第１の条件が満たされたとき、第２のＲＡＴネットワークにおいて行われる測定のレートを選択的に増加させることと、少なくとも第２の条件が満たされたとき、第２のＲＡＴネットワークにおいて行われる測定のレートを選択的に低減することとを行うために実行可能である。
【図面の簡単な説明】
【０００９】
【図１】例示的なネットワークアーキテクチャを示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンと制御プレーンとのための無線プロトコルアーキテクチャの一例を示す図。
【図６】アクセスネットワークにおける発展型ノードＢおよびユーザ機器の一例を示す図。
【図７】セル再選択のための測定のための例示的なタイムラインを示す図。
【図８】セル再選択のための測定のための例示的なタイムラインを示す図。
【図９】セル再選択のための測定のための例示的なタイムラインを示す図。
【図１０】本開示の態様による、ワイヤレス通信のための例示的な動作を示す図。
【図１０Ａ】本開示の態様による、測定されるべきネットワークの存在を検出したことに基づいて測定レートを変更するための例示的な動作を示す図。
【図１１】本開示の態様による、測定のための詳細な動作を示す図。
【図１２】例示的な装置における異なるモジュール／手段／構成要素間の概念データフローを示す図。
【図１３】処理システムを採用する装置のためのハードウェア実装形態の一例を示す図。
【発明を実施するための形態】
【００１０】
詳細な説明
[0021]  添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。但し、これら概念はこれら具体的な詳細なしに実施され得ることが当業者には明らかであろう。いくつかの例では、そのような概念を不明瞭にしないように、よく知られている構造および構成要素がブロック図の形式で示される。
【００１１】
[0022]  次に、様々な装置および方法に関して電気通信システムのいくつかの態様を提示する。これら装置および方法について、以下の詳細な説明において説明し、（「要素」と総称される）様々なブロック、モジュール、構成要素、回路、ステップ、プロセス、アルゴリズムなどによって添付の図面に示す。これら要素は、電子ハードウェア、コンピュータソフトウェア、またはこれらの任意の組合せを使用して実装され得る。そのような要素をハードウェアとして実装するか、ソフトウェアとして実装するかは、特定の適用例および全体的なシステムに課された設計制約に依存する。
【００１２】
[0023]  例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システムにおける１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１３】
[0024]  従って、１つまたは複数の例示的な実施形態において、説明された複数の機能は、ハードウェア、ソフトウェア、ファームウェア、またはこれらの任意の組合せで実装され得る。ソフトウェアで実装される場合、これら機能は、コンピュータ可読媒体上に格納されたり、コンピュータ可読媒体上の１つまたは複数の命令またはコードとして符号化されたりし得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または格納するために使用でき、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００１４】
[0025]  図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続できるが、簡単のために、これらのエンティティ／インターフェースは図示していない。図示のように、ＥＰＳはパケット交換サービス(packet-switched services)を提供するが、当業者なら容易に諒解するように、本開示全体にわたって提示する様々な概念は、回線交換サービス(circuit-switched services)を提供するネットワークに拡張され得る。
【００１５】
[0026]  Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（例えば、バックホール）を介して他のｅＮＢ１０８に接続され得る。ｅＮＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（例えば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１６】
[0027]  ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。一般に、ＭＭＥ１１２はベアラおよび接続管理を行う。全てのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振り並びに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、パケット交換（ＰＳ：packet switched）ストリーミングサービス（ＰＳＳ：PS Streaming Service）とを含み得る。
【００１７】
[0028]  図２は、ＬＴＥネットワークアーキテクチャにおけるアクセスネットワーク２００の一例を示す図である。この例において、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（例えば、ホームｅＮＢ（ＨｅＮＢ））、ピコセル、マイクロセル、またはリモートラジオヘッド（ＲＲＨ）であり得る。マクロｅＮＢ２０４は各々、該当のセル２０２に割り当てられ、セル２０２における全てのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、全ての無線関係機能を担う。
【００１８】
[0029]  アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。但し、これら概念は、他の変調および多元接続技法を採用する他の電気通信規格に容易に拡張され得る。例として、これら概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを利用して移動局にブロードバンドインターネットアクセスを提供する。これら概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、並びに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多
元接続技術は、特定の適用例およびシステムに課された全体的な設計制約に依存することになる。
【００１９】
[0030]  ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（すなわち、振幅および位相のスケーリングを適用し）、次いでＤＬ上で複数の送信アンテナを通して空間的にプリコードされた各ストリームを送信することによって達成される。空間的にプリコーディングされたデータストリームは、異なる空間シグナチャと共に（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００２０】
[0031]  空間多重化は、一般に、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２１】
[0032]  以下の詳細な説明では、アクセスネットワークの様々な態様が、ＤＬ上でＯＦＤＭをサポートするＭＩＭＯシステムを参照して説明される。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（例えば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２２】
[0033]  図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。リソースグリッドが２つのタイムスロットを表すために使用でき、各タイムスロットがリソースブロックを含む。リソースグリッドは複数のリソース要素に分割される。ＬＴＥにおいて、リソースブロックは、周波数領域内に１２個の連続サブキャリアを含んでおり、各ＯＦＤＭシンボル中のノーマルサイクリックプレフィックスについて、時間領域内に７個の連続ＯＦＤＭシンボルを含んでおり、すなわち８４個のリソース要素を含んでいる。拡張サイクリックプレフィックスについて、リソースブロックは、時間領域内に６個の連続ＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。従って、ＵＥが受信するリソースブロックが多いほど、また変調方式が高いほど、ＵＥのデータレートは高くなる。
【００２３】
[0034]  図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成されることができ、構成可能なサイズを有することができる。制御セクションにおけるリソースブロックは、制御情報を送信するためにＵＥに割り当てられ得る。データセクションは、制御セクションに含まれない全てのリソースブロックを含み得る。ＵＬフレーム構造は、データセクションにおける連続するサブキャリアの全てを単一のＵＥに割り当てることを可能にし得る連続サブキャリアを含むデータセクションを生じる。
【００２４】
[0035]  ＵＥには、ｅＮＢに制御情報を送信するために、制御セクションにおけるリソースブロック４１０ａ、４１０ｂが割り当てられ得る。ＵＥには、ｅＮＢにデータを送信するために、データセクションにおけるリソースブロック４２０ａ、４２０ｂも割り当てられ得る。ＵＥは、制御セクションにおける割り当てられたリソースブロック上の物理ＵＬ制御チャネル（ＰＵＣＣＨ：physical UL control channel）中で制御情報を送信し得る。ＵＥは、データセクションにおける割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたることができ、周波数上でホッピングできる。
【００２５】
[0036]  初期システムアクセスを行い、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２６】
[0037]  図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３の３つのレイヤと共に示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担う。
【００２７】
[0038]  ユーザプレーンにおいて、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（例えば、ＩＰレイヤ）と、接続の他端（例えば、ファーエンドＵＥ、サーバなど）において終端されるアプリケーションレイヤとを含むＬ２レイヤ５０８の上にいくつかの上位レイヤを有し得る。
【００２８】
[0039]  ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、乱れた受信(out-of-order reception)を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（例えば、リソースブロック）を割り当てることを担う。ＭＡＣサブレイヤ５１０はまたＨＡＲＱ動作を担う。
【００２９】
[0040]  制御プレーンにおいて、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）内に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担う。
【００３０】
[0041]  図６は、アクセスネットワークにおいてＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬにおいて、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割当てとを行う。コントローラ／プロセッサ６７５はまた、ＨＡＲＱ動作と、紛失パケットの再送信と、ＵＥ６５０へのシグナリングとを担う。
【００３１】
[0042]  送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（例えば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（例えば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコードされる。チャネル推定器６７４からのチャネル推定値は、符号化および変調方式を判断するために、並びに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のために該当の空間ストリームでＲＦキャリアを変調する。
【００３２】
[0043]  ＵＥ６５０において、各受信機６５４ＲＸはその該当のアンテナ６５２を通して信号を受信する。各受信機６５４ＲＸはＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を行う。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを判断することによって復元され、復調される。これら軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３３】
[0044]  コントローラ／プロセッサ６５９はＬ２レイヤを実装する。コントローラ／プロセッサは、プログラムコードおよびデータを格納するメモリ６６０に関連し得る。メモリ６６０はコンピュータ可読媒体と呼ばれることがある。ＵＬにおいて、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上の全てのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担う。
【００３４】
[0045]  ＵＬにおいて、データソース６６７は、コントローラ／プロセッサ６５９に上位レイヤパケットを与えるために使用される。データソース６６７は、Ｌ２レイヤの上の全てのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割当てに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担う。
【００３５】
[0046]  ｅＮＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のために該当の空間ストリームでＲＦキャリアを変調する。
【００３６】
[0047]  ＵＬ送信は、ＵＥ６５０における受信機機能について説明したものと同様の形式でｅＮＢ６１０において処理される。各受信機６１８ＲＸは、その該当のアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３７】
[0048]  コントローラ／プロセッサ６７５はＬ２レイヤを実装する。コントローラ／プロセッサ６７５は、プログラムコードおよぴデータを格納するメモリ６７６に関連し得る。メモリ６７６はコンピュータ可読媒体と呼ばれることがある。ＵＬにおいて、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担う。
【００３８】
[0049]  再び図２を参照すると、ＵＥ２０６は複数のセル２０２のカバレージ内に位置でき、これらセル２０２は、異なる周波数および／または異なるＲＡＴを使用できる。アイドル時に、ＵＥ２０６は、優先度リストに基づいてキャンプオンするために周波数とＲＡＴとを選択できる。この優先度リストは、複数の周波数のセットと、各周波数に関連するＲＡＴと、各周波数の優先度とを含み得る。例えば、優先度リストは３つの周波数Ｘ、ＹおよびＺを含み得る。周波数Ｘは、ＬＴＥのために使用できかつ最高優先度を有することができ、周波数ＹはＧＳＭのために使用できかつ最低優先度を有することができ、周波数ＺはＷ−ＣＤＭＡのために使用できかつ中間優先度を有することができる。一般に、優先度リストは、ＲＡＴの任意のセットのための任意の数の周波数を含むことができかつＵＥロケーションに固有であることができる。ＵＥ２０６は、ＬＴＥ周波数が最高優先度にあって、他のＲＡＴの周波数がより低い優先度にある優先度リストを定義することによって、利用可能な場合にＬＴＥを選好するように構成され得る。
【００３９】
[0050]  アイドルモードにおいて、ＵＥ２０６は、それが通常のＬＴＥ動作のために好適なセルを見つけることが可能である全ての周波数および／またはＲＡＴを識別し得る。ＵＥ２０６は、全ての識別されたＲＡＴの中で最も高い優先度をもつＲＡＴにキャンプオンでき、ＵＥ２０６は、このＲＡＴが利用不可能になるまで、またはより優先度の高いＲＡＴが利用可能になるまで、このＲＡＴ上に残留できる。アイドルモードにおけるＵＥ２０６の挙動は、公開されている「Evolved Universal Terrestrial Radio Access (E-UTRA); User Equipment (UE) procedures in idle mode」公報（３ＧＰＰ  ＴＳ  ３６．３０４）において指定されている動作に準拠または一致し得る。
【００４０】
[0051]  ＵＥ２０６は、ＬＴＥネットワークからパケット交換（ＰＳ）データサービスを受信することが可能であり得て、アイドルモードにある間にＬＴＥネットワークにキャンプオンし得る。ＬＴＥネットワークがボイスオーバーインターネットプロトコル（ＶｏＩＰ）を適切にサポートしない場合、ＵＥ２０６は、ボイス呼を開始または受信するために別の無線アクセス技術（ＲＡＴ）の別のワイヤレスネットワークに移され得る。この移送は、回線交換（ＣＳ：circuit-switched）フォールバックと呼ばれることがあり、ＵＥ２０６によって実行されるＲＡＴ間（ＩＲＡＴ：inter-RAT）リダイレクションまたはハンドオーバによって達成され得る。例えば、ＵＥ２０６は、１ｘＲＴＴ、Ｗ−ＣＤＭＡ、ＧＳＭ、または他のＲＡＴなど、ボイスサービスをサポートするＲＡＴを再選択し得る。ＬＴＥサービスが失われた場合、特にＵＥ２０６が通信システムのカバレージエリアを通って物理的に移動するとき、ＵＥ２０６はＬＴＥネットワークから別のＲＡＴに移され得る。サービスのギャップは、ネットワークカバレージホールと呼ばれるか、またはＬＴＥの特定の例において、ＬＴＥホールと呼ばれることがある。
【００４１】
[0052]  本発明のいくつかの実施形態は、ＲＡＴ再選択を速める(accelerate)ことを助け得るシステムおよび方法を提供する。ＵＥ２０６は、異なるＲＡＴを使用して動作している利用可能なセル間で選択するように構成可能であり得る。例えば、ＵＥ２０６はＷ−ＣＤＭＡシステムとＬＴＥシステムとにおいて動作可能であり得て、ＬＴＥがより優先度の高いＲＡＴとして指定され得る。ＵＥ２０６がより優先度の低いネットワークにキャンプオンされたとき、ＵＥ２０６は、より優先度の高いネットワークが利用可能になったときにそれを再選択することを試み得る。ＵＥ２０６がより優先度の低いＲＡＴにキャンピングされている間、ＵＥ２０６は、再選択基準に従ってＲＡＴ間で切り替わるべきかどうか評価することを継続する。
【００４２】
[0053]  いくつかの実施形態は、ＵＥ２０６がより優先度の低いＲＡＴにおいてアイドル状態にあるときに、ＵＥ２０６がより迅速に高優先度ＲＡＴに戻ることを可能にする。図７は、ＲＡＴ再選択を示す簡略タイミング図７００および７５０を含む。タイミングチャート７００は、利用可能なＬＴＥ接続７０２とより優先度の低いＷ−ＣＤＭＡ接続７０４との間で選択できるＵＥ２０６に関するもので、ＬＴＥ接続７０２がＷ−ＣＤＭＡ接続７０４よりも高い優先度に割り当てられる。優先度は、例えば、システム情報ブロック（ＳＩＢ：system information block）を使用して、ｅＮＢ２０４によってＵＥ２０６に通信され得る。ＳＩＢは、ＵＥ２０６がアイドル状態（スリープモード）にあるときにＵＥ２０６によって監視されるべきページングチャネル（ＰＣＨ：paging channel）と、ＩＲＡＴ測定がいつ行われるべきであるかを判断するために使用される非連続受信（ＤＲＸ：discontinuous reception）サイクルの周波数と、他の情報とを定義する情報をＵＥ２０６に搬送し得る。
【００４３】
[0054]  ページングは、例えば、着信呼、構成情報の変化をＵＥ２０６に通知（ページング）するためにネットワークによって使用される。ＤＣＨ／ＣＥＬＬ−ＦＡＣＨモードと呼ばれることがある接続モードにあるとき、ＵＥ２０６にいくつかのページが送られ得る。ＵＥ２０６は、アイドルモードまたは接続モード（ＰＣＨ／ＣＥＬＬ−ＰＣＨ）にある間、いくつかのタイプのページを受信し得る。アイドルモードにおいて、ＵＥ２０６は、予め定義された時間間隔(predefined intervals of time)でページを受信するために、周期的に「起動」するように構成され得る。
【００４４】
[0055]  信号強度の周期的ＩＲＡＴ測定はＵＥ２０６によって取られ得る。ＩＲＡＴ測定は、基準シンボル受信電力（ＲＳＲＰ：reference symbol received power）、キャリア受信信号強度インジケータ（ＲＳＳＩ：carrier received signal strength indicator）、および／または基準信号受信品質（ＲＳＲＱ：reference signal received quality）を含む、１つまたは複数の量に関し得る。１つまたは複数の測定された量がしきい値を超えるかどうかを判断するために、ＩＲＡＴ測定が評価され得る。いくつかの態様において、しきい値は、低優先度ＲＡＴから高優先度ＲＡＴへのハンドオーバが達成され得るかどうかを判断するために使用され得る。ｅＮＢ２０４は、ＩＲＡＴ測定がＵＥ２０６によって行われるべきレートを判断でき、測定の頻度は、ＵＥ２０６のバッテリー寿命を節約しながらＵＥ２０６がＲＡＴ間で迅速に切り替わることを可能にするように選択される。
【００４５】
[0056]  ７００に概ね示すように、ＵＥ２０６は、呼７１２がより優先度の低いＲＡＴ７０４を使用して確立されるべきときを除いて、より優先度の高いＲＡＴ７０２にキャンピングし得る。ＵＥ２０６は、呼を確立するために、時間７０６でより優先度の低いＲＡＴ７０４を選択でき、これは時間期間７１２の間持続し得る。ＵＥ２０６は、次いで、ＵＥ２０６がより優先度の低いＲＡＴ７０４上でアイドルになった、呼終端７０８の後のある時点７１０において、より優先度の高いＲＡＴ７０２を再選択し得る。呼終端７０８と、より優先度の高いＲＡＴ７０２の再選択７１０との間の遅延７１４は、ネットワーク構成とＵＥ２０６の処理能力とによって決定され得るＩＲＡＴ測定のレートの影響を受け得る。
【００４６】
[0057]  ７５０に概ね示すように、ＵＥ２０６は、時間７５６で開始し、一般に高優先度サービス７５２の地理的非利用可能性または他の途絶によって生じるＬＴＥホール７５８のために、より優先度の低いＲＡＴ７５４においてアイドル状態でキャンピングされ得る。高優先度サービス７５２が７６０において利用可能になったとき、ＵＥ２０６は、最も早い機会７６２において高優先度サービス７５２を再選択することを試み得る。サービス利用可能性７６０と、高優先度ＲＡＴ７５２の再選択７６２との間の遅延７６４は、ネットワーク構成とＵＥ２０６の処理能力とによって決定され得るＩＲＡＴ測定のレートの影響を受け得る。
【００４７】
[0058]  ワイヤレスネットワークセルでは、１つまたは複数のＰＣＨが確立されることができ、システム情報中でＵＥ２０６に示される各２次共通制御物理チャネル（ＳＣＣＰＣＨ：secondary common control physical channel）がＰＣＨを搬送し得る。本明細書で説明するように、ＵＥ２０６は、１つまたは複数のＳＩＢ中でサービングＷ−ＣＤＭＡノードＢ２０４によってブロードキャストされる静的または半静的ＤＲＸ構成によって定義されるタイミングに基づく従来の手法を通して達成され得るよりも迅速に、Ｗ−ＣＤＭＡネットワークにおけるアイドル状態からＬＴＥネットワークに移され得る。図７において説明する例において、ＬＴＥ対応ＵＥ２０６は、Ｗ−ＣＤＭＡシステムにおいてアイドル状態でキャンピングされたとき、好適なＬＴＥセルが利用可能である場合、ＬＴＥシステムがサービングＷ−ＣＤＭＡシステムよりも高い定義された優先度を有するとき、ＵＥ２０６をできるだけ早くＬＴＥシステムに戻すことを通常試みる。セルの好適性は、標準化団体によって規定でき、検出された無線条件の観点で定義され得る。
【００４８】
[0059]  従来のシステムでは、ＵＥ２０６がＷ−ＣＤＭＡネットワーク上でアイドル状態にあるとき、ＩＲＡＴ測定の静的に定義されたレートはＤＲＸ設定に関係する。例えば、Ｗ−ＣＤＭＡからＬＴＥへのＩＲＡＴセル再選択に適用可能なＩＲＡＴ測定のレートは、Ｗ−ＣＤＭＡサービングセルによってＳＩＢ１９およびＳＩＢ３上でブロードキャストされるパラメータによって与えられる。ＳＩＢ中の情報は、一般に、セルにおける複数のＵＥ２０６に適用することを意図される。呼設定と、ＵＥ２０６のバッテリー寿命と、ＩＲＡＴセル再選択性能との間のトレードオフ決定に関して競合が起こり得る。ＵＥ２０６がページングを監視するためにより頻繁に起動するにつれて、より短いＤＲＸサイクル設定はバッテリー寿命に影響を及ぼし得る。より長いＤＲＸサイクル設定は、ＵＥ２０６バッテリー寿命を改善するが、モバイル着信（ＭＴ：mobile terminated）呼設定遅延が不十分になり得る。事業者によって選択されるトレードオフは、一般に広範囲のＵＥ２０６の能力に適応し、個々のＵＥ２０６にとって理想的なトレードオフに満たない結果になり得る。
【００４９】
[0060]  いくつかの実施形態において、測定の増加されたレートは、システムＤＲＸサイクルの期間を変更することなしに与えられることができ、これにより、ＩＲＡＴ再選択プロセスに対するＤＲＸ関連のトレードオフの影響が減少するかまたはなくなり得る。ＵＥ２０６がより優先度の低いサービングＲＡＴからより優先度の高いＲＡＴにできるだけ早く移されることが意図されるとき、ＵＥ２０６は、そのＩＲＡＴ測定レート（周波数）を最大レートに自律的に変更し得る。一般に、より優先度の高いＲＡＴまたは周波数が検出されたとき、ＩＲＡＴ測定レートは増加される。
【００５０】
[0061]  場合によって、測定レートは、ＵＥが測定されたネットワークを見つけることがどれくらい可能であるかに基づいて変更され得る。例えば、測定レートは、より優先度の高いＲＡＴの測定値（例えば基準シンボル受信電力、キャリア受信信号強度インジケータ、基準信号受信品質）がしきい値を超えるときに増加され得る。ＩＲＡＴ測定レートはまた、より優先度の低いＲＡＴの測定値が予め定義されたしきい値を下回るときに増加され得る。ＵＥのバッテリー電力、時刻、あるいはより優先度の高いまたはより優先度の低いＲＡＴのネットワーク負荷のような他の条件が、ＩＲＡＴ測定レートを増加させるための判断に影響を及ぼし得る。
【００５１】
[0062]  場合によって、測定レートの変更は、ＤＲＸサイクルのために定義されるページング監視レートと無関係に行われ得る。ＵＥ２０６は、ＩＲＡＴ測定レートがページの消失を回避するために増加されたとき、より優先度の低いサービングＲＡＴによって定義されるページングオケージョンを監視し続ける。ＩＲＡＴ測定レートの増加は、バッテリー寿命や他のリソースを維持するために短い時間期間に制限され得る。
【００５２】
[0063]  本明細書で開示するシステムおよび方法は、ＵＥ２０６のバッテリー寿命および／またはより優先度の低いＲＡＴによってサービスされる他のＵＥ２０６のＭＴ呼設定性能に著しく影響を及ぼすことなしにＩＲＡＴセル再選択を高速化できる。開示のシステムおよび方法のうちのいくつかは、サービングＲＡＴに対して透過的に実装され、現在のより優先度の低いＲＡＴによって定義されるＵＥ２０６によるページングオケージョンの監視を維持し得る。特に、ＵＥ２０６は、より優先度の低いサービングＲＡＴにおいてページを消失することなしに追加の測定を行うように構成され得る。
【００５３】
[0064]  図８は、ＤＲＸタイミングのみに基づいて採取された測定値を使用する再選択プロセスのタイミングを示すタイミングチャート８００である。ＤＲＸタイミングは、ＤＲＸサイクル長とＤＲＸ測定期間とが構成されるように、ＳＩＢ（例えばＳＩＢ１）によって定義される。図示の例において、ＤＲＸ期間は１．２８秒であり、測定は、１．２８ｍｓサイクル長について５サイクルであり得る、いくつかのＤＲＸサイクルとして指定され得る。ＤＲＸベースの再選択は、ＵＥ２０６がＤＣＨ／ＣＥＬＬ−ＦＡＣＨからアイドル状態に遷移するときに開始するか、またはＵＥ２０６がＩＲＡＴのＬＴＥからＷＣＤＭＡ（登録商標）へのセル再選択を完了した後に開始し得る。アイドル状態は時間８０２（ｔ＝０）で開始し、１つのＤＲＸ期間後に第１の測定が行われる。ＵＥ２０６は、１秒であり得る、予め定義された最小時間期間の間、ＲＡＴに残留するように要求され得る。従って、本例における第１の測定値は、時間８０２でのアイドル状態へのエントリ後の最高２．２８秒までに生じる時間８０４で採取される。
【００５４】
[0065]  ＬＴＥ  ＲＡＴが利用可能であることをＵＥ２０６が時間８０４での第１の測定から判断したとき、ＵＥ２０６は、時間８０６で満了する再選択タイマーを開始し得る。ＵＥ２０６は一般に、再選択タイマーが満了するまでＬＴＥ  ＲＡＴを再選択できない。本例において、再選択タイマーＴreselectionは２秒の持続時間を有する。Ｗ−ＣＤＭＡセルは、一般に、ＩＲＡＴ測定間のＤＲＸサイクルの数を定義する。本例において、ＤＲＸサイクルの数は５である。従って、第１の測定８０４と第２の測定８０８との間の時間は６．４秒である。より優先度の高いＬＴＥ  ＲＡＴの収集は、時間８０８の約９０ミリ秒後である時間８１０で行われ得る。本例において、時間８０２でアイドル状態に入ることと、時間８０８で再選択を開始することとの間の合計時間は８．６８秒であり得る。表１に、サービングセルによって構成されるＤＲＸ関連のパラメータの例を与える。
【表１】
0006258291.tif 000002
【００５５】
[0066]  いくつかの実施形態は、ＵＥ２０６がＩＲＡＴ測定のレートを自律的に増加させることを可能にすることによって、ＩＲＡＴ再選択タイマーの満了と、より優先度の高いＲＡＴのＵＥ２０６再選択との間の遅延を最小限に抑える。ＵＥ２０６は、第１の測定がより優先度の高いＲＡＴの存在を示した後に、測定のレートを増加させ得る。ＵＥ２０６は、サービングセルのためにネットワーク事業者によって設定されたＤＲＸ構成とは無関係に、測定の増加されたレートを設定し得る。
【００５６】
[0067]  ＩＲＡＴ測定のレートのＵＥ２０６による動的再構成は、より優先度の低いＲＡＴからより優先度の高いＲＡＴへの、より効率的でより高速なＩＲＡＴセル再選択を可能にし得る。図９のタイミングチャート９００に示すように、測定のレートはＤＲＸサイクル周波数の整数倍に増加され得る。整数乗数の使用により、ＵＥ２０６はページの消失を回避することが可能になり得る。例示的なチャート９００において、測定のレートは５倍に増加され、ＤＲＸイベント９０２とＤＲＸイベント９０４との間に４つの測定間隔が与えられる。ＵＥ２０６は、増加された測定レートに関連する測定イベントに一致する、各ＤＲＸイベント９０２および９０４のために起動するように要求される。いくつかの実施形態において、ＤＲＸベースの測定の基礎をなすレートは、最小ＩＲＡＴ測定レートとして使用される。一例において、ＵＥ２０６は、ＤＲＸ構成により、ＤＲＸ測定レートの整数倍であるＤＲＸサイクル周波数に等しくなるように、測定の増加されたレートを設定し得る。タイミングチャート９００は、ＤＲＸサイクル期間が１．２８秒であり、ＤＲＸ測定レートが５つのＤＲＸサイクルとして計算される、特定の例を示している。従って、各増加された測定イベント９０６は、ＤＲＸ測定イベント９０２および９０４をもつ、ＤＲＸイベントに対応する。
【００５７】
[0068]  ＩＲＡＴ測定のレートを増加させることをＵＥ２０６させる整数倍は、ＵＥ２０６処理能力に基づいて決定され得る測定の最大レートＲを取得するように選択できる。ＵＥ２０６はまた、連続するＤＲＸ測定イベント９０２とＤＲＸ測定イベント９０４との間の時間期間に基づいてＩＲＡＴ測定のレートを判断し得る。例えば、測定相互間の時間期間は、ＤＲＸ測定イベント９０２とＤＲＸ測定イベント９０４との間の時間の整数分の１として計算でき、整数分の１は１／２nの形式をとる。
【００５８】
[0069]  図９のタイミングチャート９２０は、増加された測定レートを使用する再選択プロセスのタイミングを示す。再選択の試みは、ＵＥ２０６がＤＣＨ／Ｃｅｌｌ−ＦＡＣＨからアイドル状態に遷移するときに開始するか、またはＵＥ２０６がＩＲＡＴのＬＴＥからＷＣＤＭＡへのセル再選択を完了した後に開始し得る。アイドル状態は時間９２２（ｔ＝０）で開始し、ＵＥ２０６がその間に低優先度ＲＡＴに残留するように要求される予め定義された最小時間の１ＤＲＸ期間後に第１の測定値が採取され得る。いくつかのネットワークにおいて、最小時間は標準によって１秒として定義され、第１の測定値は、時間９２２でのアイドル状態入り後の最高２．２８秒までに生じ得る時間９２４で採取される。ＵＥ２０６は、低優先度ＲＡＴにおいてアイドル状態へのエントリ後に、ＵＥ２０６のターゲットＩＲＡＴセル測定レートを最高許容測定レートに自律的に変更し得る。好適な再選択セル候補が見つからなかった場合、ＵＥ２０６は、ＩＲＡＴ測定レートを対応するＤＲＸ測定レートへ動的に低減し得る（減少させ得る）。一例において、ＤＲＸ測定レートはＤＲＸサイクル周波数の整数分の１であり、最大測定レートはＤＲＸサイクル周波数に等しく設定され得る。
【００５９】
[0070]  いくつかの実施形態において、ＵＥ２０６は、好適な高優先度ＲＡＴが検出されると、ＵＥ２０６のターゲットＩＲＡＴセル測定レートを最高許容レートに自律的に変更し得る（例えば時間９２４で）。ＵＥ２０６による動的測定レート再構成の効果は、好適なセルがＬＴＥにおいて検出された後に、Ｗ−ＣＤＭＡにおいてアイドルに費やされる時間の低減を含み得る。いくつかの実施形態において、ＵＥ２０６は、ターゲットＬＴＥセルを測定する前に、再選択タイマーが時間９２６で満了することを可能にするために、一定数のＤＲＸ期間だけ待ち得る。時間９２８での測定後に好適なＬＴＥセルが発見されたとき、ＬＴＥ収集は時間９３０までに達成され得る。
【００６０】
[0071]  本明細書で説明するように、ＩＲＡＴ測定のより高いレートは、ＤＲＸ構成によって定義される対応するページング監視起動周期性の整数倍になるように選択され得る。こうした整数乗数が使用されるとき、ＤＲＸ起動イベント９０２および９０４がＩＲＡＴ測定イベント９０６と対応するので、ＵＥ２０６はページを消失しない。ＩＲＡＴ時間測定グラニュラリティにおける低減は、ＵＥ２０６が時間９２６でのＴreselectionの終了により近接して再選択することを可能にする。
【００６１】
[0072]  図８および図９に示す例において、ターゲットＲＡＴを測定し（ＴmeasureE-UTRA）、評価する（Ｔevaluate_EUTRA）ために使用される時間間隔は、全ての可能なＤＲＸサイクル設定について１．２８秒の倍数である。いくつかの実施形態では、ＵＥ２０６の処理能力に基づいて最小測定期間が選択され得る。図示の例において、最小測定時間グラニュラリティは１．２８秒または０．６４秒（１．２８／２）などに設定され得る。小さなＩＲＡＴ測定間隔は改善されＩＲＡＴセル再選択性能をもたらすことができ、ＵＥ２０６が起動し、ページングオケージョンの発生またはＤＲＸ設定によって定義される測定間隔の前に複数回測定し得る。
【００６２】
[0073]  いくつかの実施形態において、好適なセルが利用可能でないと判断されたとき、測定周波数は最小測定周波数にリセットされる。最小測定周波数は、ＤＲＸ期間と、測定間で指定されるＤＲＸ期間の数とによって定義される測定レートであり得る。ＵＥ２０６は、最大値と最小値との間の測定周波数を調整し得る。例えば、ＬＴＥセルの検出に伴い、ＵＥ２０６は、少なくとも最小測定周波数の２倍に測定周波数を増加させることができ、後続の測定において好適なＬＴＥセルが見つからなかった場合に、ＵＥ２０６は測定周波数を最小レートにリセットし得る。ＵＥ２０６は、１つまたは複数の量または無線条件がしきい値を満たすことができないとき、好適なＬＴＥセルが利用可能でないと判断し得る。量および無線条件は、ＲＳＲＰ、ＲＳＳＩ、ＲＳＲＱの量および他の量を含み得る。ＵＥは、測定された量から、測定されたサービス品質を判断し得る。ＵＥ２０６は、好適なＬＴＥセルが利用可能でないと判断する前に、最小数の測定を行い得る。ＵＥ２０６は、予め定義されたまたは予め構成された数(predefined or preconfigured number of measurements)の測定が好適なＬＴＥセルをもたらさなくなるまで、測定を行い得る。
【００６３】
[0074]  測定周波数を低減する（減少させる）決定は、他の統計的分析並びに、予め定義されたり構成可能であったりするパラメータに基づき得る。例えば、ＵＥ２０６は、ＵＥにおける利用可能なバッテリー電力、時刻、ネットワークセルのネットワーク負荷、または呼を受信することに基づいて測定レートを低減することを決定し得る。
【００６４】
[0075]  ＵＥ２０６は、測定周波数を最大値から増分的に減少させ得る。測定の周波数が整数倍ｎだけ増加されたとき、ＵＥ２０６は、最小レートに到達するまで、測定の周波数をｎ−１へ連続して減少でき、これにより、ＵＥ２０６は、測定の周波数を減少させる前に、測定の各周波数で多数の測定を行う。
【００６５】
[0076]  測定の周波数が測定の最小周波数に向かって低減されるようにする方法はＵＥ２０６の処理能力に基づくことができ、この方法は、ＵＥ２０６のバッテリー寿命を維持するように選択され得る。本明細書の他の場所で述べたように、ネットワーク事業者は、ＵＥ２０６のバッテリー寿命と、セルにおける全てのＵＥ２０６のためのＭＴ呼設定時間との間に所望のトレードオフを獲得するようにＤＲＸサイクル設定を最適化し得る。しかしながら、本開示のシステムおよび方法のいくつかの態様は、ＤＲＸベースの最適化を回避でき、測定の周波数を動的におよび自律的に変更するＵＥ２０６は、一般に、ＩＲＡＴ優先度ベースのセル再選択性能を最適化し、その性能をバッテリー寿命と平衡させる。
【００６６】
[0077]  いくつかの実施形態は、ＵＥ２０６が、ＬＴＥシステムを使用して好適なサービスにできるだけ早く復帰することを可能にする。高速復帰は、Ｗ−ＣＤＭＡにおいて回線交換フォールバック（ＣＳＦＢ：circuit switched fallback）呼を完了し、および／またはＷ−ＣＤＭＡアイドル状態に遷移する前にＰＳデータセッションを完了するＵＥ２０６について可能にされ得る。いくつかの実施形態では、Ｗ−ＣＤＭＡアイドル状態においてＵＥ２０６によって費やされる時間が最小限に抑えられるので、ＵＥ２０６がより優先度の低いＲＡＴ（Ｗ−ＣＤＭＡ）において接続状態に入る確度が低減され得る。
【００６７】
[0078]  図１０に、ワイヤレス通信のための例示的な複数の動作１０００を示す。本方法は、例えば、ＵＥ２０６によって行われ得る。これら動作は、１００２で開始し、ＵＥが、第１の無線アクセス技術（ＲＡＴ）ネットワークに接続されている間に、測定が第２のＲＡＴネットワークにおいて行われる状態に入る。１００４で、少なくとも第１の条件が満たされたとき、ＵＥは第２のＲＡＴネットワークにおいて行われる測定のレートを選択的に増加させる。１００６で、少なくとも第２の条件が満たされたとき、ＵＥは第２のＲＡＴネットワークにおいて行われる測定のレートを選択的に低減する。
【００６８】
[0079]  図１０Ａに、ＬＴＥネットワークとＷ−ＣＤＭＡネットワークとの特定の例をもつ、測定されるべきネットワークの存在の検出に基づいて測定のレートを変更するための例示的な動作１０５０を示す。
【００６９】
[0080]  動作１０５０は１０５２で開始し、ＵＥはＷ−ＣＤＭＡネットワークに接続され、ＬＴＥネットワークにおける測定を行うことを開始する。
【００７０】
[0081]  ステップ１０５４で、ＵＥは、ＬＴＥネットワークの受信信号強度インジケータ（ＲＳＳＩ）または基準信号受信電力（ＲＳＲＰ）がしきい値を上回り得たＬＴＥセルを検出できたかどうかを判断する。この条件が満たされた場合、ステップ１０５６で、ＵＥは、ＬＴＥネットワークの測定のレートを、例えば、測定の元のレートの２倍、または測定の最大可能レートに選択的に増加させる。
【００７１】
[0082]  ステップ１０５８で、ＵＥは、増加されたレートでＬＴＥネットワークを測定する。例えば、ＵＥは、測定の元のレートの２倍でＬＴＥネットワークのＲＳＲＰ、ＲＳＳＩ、およびＲＳＲＱのうちの１つまたは複数を測定し得る。
【００７２】
[0083]  ステップ１０６０において、ＵＥは、ＬＴＥネットワークの基準信号受信品質（ＲＳＲＱ）が予め定義されたしきい値を下回るかどうかを判断し得る。下回らない場合、ＵＥは、ステップ１０６２で、増加されたレートでＬＴＥネットワークでの測定を行うことを継続し得る。例えば、ＵＥは、元のレートの２倍でＬＴＥネットワークのＲＳＲＰ、ＲＳＳＩ、およびＲＳＲＱを測定することを継続し得る。
【００７３】
[0084]  ＲＳＲＰ、ＲＳＲＱ、またはＲＳＳＩがしきい値を下回る場合、ＵＥは、ステップ１０６４で、ＬＴＥネットワークの測定のレートを自律的に低減し得る。例えば、ＵＥ２０６は、ＬＴＥネットワークの測定のレートを測定の元のレートに低減し得る。
【００７４】
[0085]  測定のレートを低減した後に、ＵＥは、ステップ１０６６で、元のレートでＬＴＥネットワークにおける測定を行うことを継続し得る。
【００７５】
[0086]  図１１に、本開示の態様による、測定の変更されたレートを伴うワイヤレス通信の方法の例示的な実装形態を示す。本方法はＵＥによって行われ得る。
【００７６】
[0087]  １１０２において、ＵＥは、あらゆるＤＲＸサイクルについてページを監視し得る。ＤＲＸサイクルの特性および属性は、例えば、サービングＷ−ＣＤＭＡノードＢ２０４によってブロードキャストされる１つまたは複数のＳＩＢを使用して、静的または半静的に構成され得る。これら特性および属性は、ページ監視およびＩＲＡＴ測定タスクを管理するためにＵＥによって使用される、１つまたは複数のルックアップテーブル１１３０を生成するために使用され得る。ＵＥは、いくつかのＤＲＸサイクルにおいてページを監視しながら、ＩＲＡＴ測定を行い得る。
【００７７】
[0088]  １１０４において、ＵＥは、遷移イベントが発生したかどうかを判断する。遷移イベントにより、一般に、ＵＥは、より優先度の低いネットワークのアイドル状態に入るかまたは残留することになる。一例では、複数の遷移イベントが監視されることができ、これら複数のイベントは、ＤＣＨ／Ｃｅｌｌ−ＦＡＣＨからアイドル状態への遷移、ＬＴＥからＷ−ＣＤＭＡへのＩＲＡＴ再選択イベントの検出、およびＬＴＥ好適セルの検出を備える。１１０４で遷移イベントが検出されない場合、ＵＥは、予め定義された従来のアイドルプロシージャを開始または再開し得る。一例において、ＵＥは、低優先度ネットワークにおいてサービスを受信しているとき、高優先度ネットワークが存在するかどうかを判断する。高優先度ネットワークは、低優先度ネットワークによって採用されるＲＡＴとは異なるＲＡＴを採用し得る。
【００７８】
[0089]  １１０４で遷移イベントが検出された場合、１１０６で、ＵＥは、ＩＲＡＴ測定を自律的に速め(accelerate)得る。ＵＥは、高優先度ネットワークの存在が検出されたとき、高優先度ネットワークの測定のレートを選択的に増加させ得る。ＵＥは、ＩＲＡＴ測定のレートをＤＲＸ  ＩＲＡＴ測定レートの整数倍に増加させ得る。ＩＲＡＴ測定の増加されたレートを取得するために整数乗数とＤＲＸ周波数との積を使用することにより、速められたＩＲＡＴ測定(accelerated IRAT measurements)を行っているとき、ＵＥがページを消失する可能性が回避され得る。いくつかの実施形態において、ＵＥは、速められたＩＲＡＴ測定中に採取された測定値の数を追跡するために測定カウンタを初期化し得る。ＵＥはまた、本明細書で「α」と呼ぶ乗数値を初期値に設定でき、初期値は、一例ではユニタリーであり得る。α乗数は、速められた測定中の測定期間を決定するために使用される。一例において、ＤＲＸサイクルは１．２８秒の期間を有し、速められた測定期間は１．２８（α）である。ＩＲＡＴ測定レートは一般にＤＲＸサイクル周波数よりも低いことを諒解されよう。例えば、ＤＲＸ係数が、ＤＲＸ測定サイクルごとにＤＲＸサイクルの数を決定し得る。従って、ルックアップテーブル１１３０を仮定すれば、α＝１であるとき、測定周波数は３〜９倍に増加され、速められた測定期間は、ＤＲＸサイクル期間にαを乗算することによって決定される。
【００７９】
[0090]  いくつかの実施形態において、速められた測定は、ＵＥ２０６がアイドル状態にあるとき、所定の最大レートに増加された測定のレートで採取される（１１０８におけるように、αが１に設定されたときに、１．２８秒ごとの１測定に設定される）。いくつかの実施形態において、速められた測定は、ＵＥ２０６がアイドル状態にある場合のみ開始される。最大レートは、整数乗数と、低優先度ネットワークのために定義されたＤＲＸサイクルの周波数との積として計算され得る。最大レートは、ＤＲＸサイクルによってトリガされる測定に加えて、ＤＲＸサイクル中に１つまたは複数の測定を行うために計算され得る。測定の最大レートはまた、ＵＥ２０６の処理能力を考慮し得る。
【００８０】
[0091]  ステップ１１０４で、遷移イベントが検出されなかったか、またはステップ１１２０で、最大数の速められた測定が行われた場合、ＵＥ２０６は、通常または従来のアイドルプロシージャに戻り得る。いくつかの実施形態において、測定のレートは、測定のレートを測定の最小レートに設定することによって低減される。測定の最小レートは、低優先度ネットワークのために構成されたＤＲＸ測定期間に対応し得る。測定の現在のレートがＤＲＸサイクルの周波数よりも大きいとき、測定のレートは、整数乗数を低減することによって低減され得る。
【００８１】
[0092]  ステップ１１０８において、ＵＥは、ターゲットネットワークを測定し、測定カウンタをインクリメント(increment)する。ＵＥは、高優先度ネットワークの１つまたは複数の測定に基づいて、高優先度ネットワークにおいて利用可能なサービス品質がしきい値を超えるかどうかを判断し得る。例えば、ＵＥは、好適な高優先度ネットワークが利用可能であるかどうかを判断するために、ＲＳＲＰ、ＲＳＳＩ、およびＲＳＲＱのうちの１つまたは複数を対応するしきい値に対して評価し得る。いくつかの実施形態において、ＵＥは、予め定義された最小数の測定に基づいてターゲット高優先度ネットワークにおけるサービス品質を評価する。高優先度ネットワークにおけるサービス品質は複数の測定に基づいて決定され得る。１つまたは複数の測定は、ＤＲＸサイクルによってトリガされる測定に対応し得る。
【００８２】
[0093]  １１１０で、好適な高優先度ネットワークが利用可能であるとＵＥが判断した場合、ＵＥは、再選択タイマーが稼働中であるかどうかを判断し得る。再選択タイマーは、ターゲットＲＡＴを最初に識別するときに設定され得る。再選択タイマーは、好適な高優先度ネットワークの最初の検出から、ある最小時間Ｔreselectionが経過したかどうかを判断するために使用される。一例において、Ｔreselectionは、２秒として予め定義され得る。再選択タイマーが稼働中でない場合、ＵＥ２０６は、１１２６で再選択タイマーを初期化でき、ＵＥは、速められた測定を１１２４で可能にするためにαの値を設定し、その後、ステップ１１０８に戻り得る。
【００８３】
[0094]  再選択タイマーが稼働中である場合、ＵＥは、１１１４で、再選択タイマーが満了したかどうかを判断し得る。再選択タイマーが満了していない場合、ＵＥは、１１２４でαの値をオプションで設定することによって速められた測定を継続し、その後、１１０８に戻り得る。αの値は、ターゲットＲＡＴが一貫してしきい値を満たさないとき、速められた測定期間を徐々に増加させる実施形態に適応するように１１２４で設定され得る。再選択タイマーが満了した場合、ＵＥは、例えば、ＬＴＥネットワークであり得る、より優先度の高いネットワークの再選択を開始し得る。
【００８４】
[0095]  いくつかの実施形態において、高優先度ネットワークへの切替えは、ＵＥが、予め定義された最小時間期間の間、低優先度ネットワークにおけるサービスを受信するまで遅延され得る。高優先度ネットワークの測定のレートを増加させることは、ＵＥが、予め定義された最小時間期間の間、低優先度ネットワークにおけるサービスを受信することを条件にされ得る。いくつかの実施形態において、ＵＥが低優先度ネットワークでのアクティブ状態から低優先度ネットワークでのアイドル状態に遷移したとき、ＵＥは測定のレートを増加させる。
【００８５】
[0096]  ステップ１１１０で、好適な高優先度ネットワークが利用可能であるとＵＥが判断しなかった場合、ＵＥは、ステップ１１２０で、一般的には測定カウンタを評価することによって、最大数の測定が行われたかどうかを判断し得る。最大数の速められた測定が行われていない場合、ＵＥは、ステップ１１０８で、速められた測定を継続し得る。
【００８６】
[0097]  ステップ１１２０で、最大数の測定が行われたとＵＥが判断した場合、ＵＥは、ステップ１１２４で、ＤＲＸ構成測定レートを再開するためにαをリセットでき、通常のアイドルプロシージャが再開され得る。いくつかの実施形態において、αの値は、それがルックアップテーブル１１３０によって与えられるＤＲＸ等価値に等しくなるまで、増分的に増加され得る。
【００８７】
[0098]  図１２は、例示的な装置１２０２における異なるモジュール／手段／構成要素間のデータフローを示す概念データフロー図１２００である。本装置はＵＥ２０６であり得る。本装置は、ターゲットネットワークの１つまたは複数の量を測定するモジュール１２０４と、測定された量に基づいて、本装置が低優先度ネットワークに接続されているとき、高優先度ネットワーク接続が利用可能であるかどうかを判断するモジュール１２０６と、ＵＥ２０６がアイドル状態にあることを検出するモジュール１２０８と、ＵＥ２０６がいつアイドル状態に遷移するかを判断するモジュール１２１０と、高優先度ネットワーク接続の存在が判断されたとき、高優先度ネットワーク接続の測定のレートを選択的に増加させるモジュール１２１２と、サービス品質がしきい値を超えると判断されたとき、高優先度ネットワークに切り替わるモジュール１２１４と、異なるＲＡＴを採用するネットワークとの通信を可能にするモジュール１２１６とを含む。
【００８８】
[0099]  本装置は、図１０の上述のフローチャートにおけるアルゴリズムのステップの各々を行う複数の追加モジュールを含み得る。従って、図１０の上述のフローチャートにおける各ステップは１つのモジュールによって行われることができ、本装置は、これらモジュールのうちの１つまたは複数を含み得る。これらモジュールは、提示されたプロセス／アルゴリズムを行うように特に構成された１つまたは複数のハードウェア構成要素であったり、提示されたプロセス／アルゴリズムを行うように構成されたプロセッサによって実装されたり、プロセッサによる実装のためにコンピュータ可読媒体内に格納されたり、あるいはこれらの何らかの組合せであったりし得る。
【００８９】
[0100]  図１３は、処理システム１３１４を採用する装置１２０２’のためのハードウェア実装形態の一例を示す図である。処理システム１３１４は、バス１３２４によって概ね代表されるバスアーキテクチャを用いて実装され得る。バス１３２４は、処理システム１３１４の特定の適用例および全体的な設計制約に応じて、任意の数の相互接続バスおよびブリッジを含み得る。バス１３２４は、プロセッサ１３０４によって表される１つまたは複数のプロセッサおよび／またはハードウェアモジュールと、モジュール１２０４、１２０６、１２０８、１２１０、１２１２、１２１４、および１２１６と、コンピュータ可読媒体１３０６とを含む様々な回路を互いにリンクする。バス１３２４はまた、タイミングソース、周辺機器、電圧調整器、および電力管理回路など、様々な他の回路をリンクし得るが、これら回路は当技術分野においてよく知られており、従って、これ以上説明しない。
【００９０】
[0101]  処理システム１３１４はトランシーバ１３１０に結合され得る。トランシーバ１３１０は１つまたは複数のアンテナ１３２０に結合される。トランシーバ１３１０は、伝送媒体を介して様々な他の装置と通信するための手段を与える。処理システム１３１４は、コンピュータ可読媒体１３０６に結合されたプロセッサ１３０４を含む。プロセッサ１３０４は、コンピュータ可読媒体１３０６に記憶されたソフトウェアの実行を含む一般的な処理を担う。ソフトウェアは、プロセッサ１３０４によって実行されたとき、処理システム１３１４に、任意の特定の装置のための上記で説明した様々な機能を行わせる。コンピュータ可読媒体１３０６はまた、ソフトウェアを実行するときにプロセッサ１３０４によって操作されるデータを格納するために使用され得る。処理システムは、モジュール１２０４、１２０６、１２０８、１２１０、１２１２、１２１４、および１２１６のうちの少なくとも１つをさらに含む。これらモジュールは、プロセッサ１３０４中で動作したり、コンピュータ可読媒体１３０６内に常駐／格納されたソフトウェアモジュールであったり、プロセッサ１３０４に結合された１つまたは複数のハードウェアモジュールであったり、あるいはこれらの何らかの組合せであったりし得る。処理システム１３１４は、ＵＥ２０６  ６５０の構成要素であり得て、メモリ６６０、および／またはＴＸプロセッサ６６８と、ＲＸプロセッサ６５６と、コントローラ／プロセッサ６５９とのうちの少なくとも１つを含み得る。
【００９１】
[0102]  一構成において、ワイヤレス通信のための装置１２０２／１２０２’は、ターゲットネットワークの１つまたは複数の量を測定するための手段１２０４を含む。手段１２０４は、あらゆるＤＲＸサイクルについてページを監視し得る。ＤＲＸサイクルの特性および属性は、例えば、サービングＷ−ＣＤＭＡノードＢ２０４によってブロードキャストされる１つまたは複数のＳＩＢを使用して、静的に、または半静的に構成され得る。これら特性および属性は、ページ監視を管理し、手段１２０４がＩＲＡＴ測定タスクを行うことを可能にするためにＵＥ２０６によって使用される、１つまたは複数のルックアップテーブル１０３０を生成するために使用され得る。手段１２０４は、ＵＥ２０６がいくつかのＤＲＸサイクルにおいてページを監視している間、ＩＲＡＴ測定を行い得る。
【００９２】
[0103]  一構成において、ワイヤレス通信のための装置１２０２／１２０２’は、測定された量に基づいて、本装置が低優先度ネットワークに接続されているとき、高優先度ネットワーク接続が利用可能であるかどうかを判断するための手段１２０６を含む。手段１２０６は、低優先度ネットワークにおいてサービスを受信しているとき、高優先度ネットワークが存在するかどうかを判断し得る。高優先度ネットワークは、低優先度ネットワークによって採用されるＲＡＴとは異なるＲＡＴを採用し得る。
【００９３】
[0104]  一構成において、ワイヤレス通信のための装置１２０２／１２０２’は、ＵＥ２０６がアイドル状態にあることを検出するための手段１２０８を含む。一構成において、ワイヤレス通信のための装置１２０２／１２０２’は、ＵＥ２０６がいつアイドル状態に遷移するかを判断するための手段１２１０を含む。
【００９４】
[0105]  一構成において、ワイヤレス通信のための装置１２０２／１２０２’は、高優先度ネットワーク接続の存在が判断されたとき、高優先度ネットワーク接続の測定のレートを選択的に増加させるための手段１２１２を含む。手段１２１２は、高優先度ネットワークの存在が判断されたとき、高優先度ネットワークの測定のレートを選択的に増加させ得る。手段１２１２は、ＩＲＡＴ測定のレートをＤＲＸ  ＩＲＡＴ測定レートの整数倍に増加させ得る。ＩＲＡＴ測定の増加されたレートを取得するために整数乗数とＤＲＸ周波数との積を使用することにより、速められたＩＲＡＴ測定を行っているとき、ＵＥ２０６がページを消失する可能性が回避され得る。いくつかの実施形態において、手段１２１２は、速められたＩＲＡＴ測定中に採取された測定値の数を追跡するために測定カウンタを初期化し得る。手段１２１２はまた、本明細書で「α」と呼ぶ乗数値を初期値に設定でき、初期値は一例においてユニタリーであり得る。α乗数は、速められた測定中の測定期間を決定するために使用される。一例において、ＤＲＸサイクルは１．２８秒の期間を有し、速められた測定期間は１．２８（α）である。ＩＲＡＴ測定レートは一般にＤＲＸサイクル周波数よりも低いことを諒解されよう。例えば、ＤＲＸ係数が、ＤＲＸ測定サイクルごとにＤＲＸサイクルの数を決定し得る。従って、ルックアップテーブル１０３０を仮定すれば、α＝１であるとき、測定周波数は３〜９倍に増加され、速められた測定期間は、ＤＲＸサイクル期間にαを乗算することによって決定される。いくつかの実施形態において、速められた測定値は、ＵＥ２０６がアイドル状態にあるとき、所定の最大レートに増加された測定のレートで取られる。いくつかの実施形態において、速められた測定は、ＵＥ２０６がアイドル状態にある場合のみ開始される。最大レートは、整数乗数と、低優先度ネットワークのために定義されたＤＲＸサイクルの周波数との積として計算され得る。最大レートは、ＤＲＸサイクルによってトリガされる測定に加えて、ＤＲＸサイクル中に１つまたは複数の測定を行うために計算され得る。
【００９５】
[0106]  好適な高優先度ネットワークが利用可能でない場合、手段１２１２は、測定のレートを測定の最小レートに設定することによって測定のレートを低減し得る。測定の最小レートは、低優先度ネットワークのために構成されたＤＲＸサイクルの周波数に対応し得る。測定の現在のレートがＤＲＸサイクルの周波数よりも大きいとき、測定のレートは、整数乗数を低減することによって低減され得る。
【００９６】
[0107]  一構成において、ワイヤレス通信のための装置１２０２／１２０２’は、より優先度の高いＲＡＴのサービス品質がしきい値を超えると判断されたとき、高優先度ネットワークに切り替わるための手段１２１４を含む。一構成において、ワイヤレス通信のための装置１２０２／１２０２’は、異なるＲＡＴを採用するネットワークとの通信を可能にするための手段１２１６を含む。
【００９７】
[0108]  上述の手段は、上述の手段によって具陳される機能を行うように構成された、装置１２０２、および／または装置１２０２’の処理システム１３１４の上述のモジュールのうちの１つまたは複数であり得る。上記で説明したように、処理システム１３１４は、ＴＸプロセッサ６６８と、ＲＸプロセッサ６５６と、コントローラ／プロセッサ６５９とを含み得る。従って、一構成において、上述の手段は、上述の手段によって具陳される機能を行うように構成された、ＴＸプロセッサ６６８と、ＲＸプロセッサ６５６と、コントローラ／プロセッサ６５９とであり得る。
【００９８】
[0109]  開示したプロセスにおけるステップの特定の順序または階層は、例示的な手法の一例であることを理解されたい。設計上の選好に基づいて、プロセスにおけるステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００９９】
[0110]  以上の説明は、本明細書で説明した様々な態様を当業者が実施できるように与えたものである。これら態様に対する様々な変更は当業者には容易に明らかであり、本明細書で定義した一般的原理は他の態様に適用され得る。従って、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素の全ての構造的および機能的等価物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
[Ｃ１]  第１の無線アクセス技術（ＲＡＴ）ネットワークに接続されている間、第２のＲＡＴネットワークにおいて測定が行われる状態に入ることと、
少なくとも第１の条件が満たされたとき、前記第２のＲＡＴネットワークにおいて行われる測定のレートを選択的に増加させることと、
少なくとも第２の条件が満たされたとき、前記第２のＲＡＴネットワークにおいて行われる測定の前記レートを選択的に低減することと
を備える、ユーザ機器（ＵＥ）によって行われるワイヤレス通信の方法。
[Ｃ２]  前記第２のＲＡＴネットワークにおいて行われる測定の前記レートを低減することが、前記第２のＲＡＴネットワークにおいて行われる測定の前記レートを測定の最小レートに設定することを備える、Ｃ１に記載の方法。
[Ｃ３]  測定の前記最小レートが、前記第１のＲＡＴネットワークのために構成された非連続受信（ＤＲＸ）サイクルに関連する周波数に対応する、Ｃ２に記載の方法。
[Ｃ４]  測定の前記最小レートが、前記第１のＲＡＴネットワークのために構成されたＤＲＸサイクルに関連する周波数の整数倍に対応する、Ｃ２に記載の方法。
[Ｃ５]  前記状態がアイドル状態を備える、Ｃ１に記載の方法。
[Ｃ６]  前記第２のＲＡＴネットワークにおいて測定の前記レートを増加させることが、前記第２のＲＡＴネットワークにおける測定の前記レートを所定の最大レートに設定することを備える、Ｃ１に記載の方法。
[Ｃ７]  前記所定の最大レートが、整数乗数と、前記第１のＲＡＴネットワークのために定義されたＤＲＸサイクルの周波数との積として計算される、Ｃ６に記載の方法。
[Ｃ８]  前記第２のＲＡＴネットワークにおいて測定の前記レートを低減することが、前記整数乗数を低減することを備える、Ｃ７に記載の方法。
[Ｃ９]  前記第２の条件は、前記第２のＲＡＴネットワークにおける測定されたサービス品質が、予め定義されたしきい値を下回ることに関する、Ｃ１に記載の方法。
[Ｃ１０]  前記第１のＲＡＴネットワークと前記第２のＲＡＴネットワークとの優先度が定義され、前記第２のＲＡＴネットワークが前記第１のＲＡＴネットワークよりも高い優先度を有する、Ｃ１に記載の方法。
[Ｃ１１]  前記第１のＲＡＴネットワークにおいて送信されるシステム情報ブロックが、前記第２のＲＡＴネットワークにおける測定の増加されたレートまたは減少されたレートのうちの少なくとも１つを判断するために使用されるＤＲＸサイクルの周波数を定義する、Ｃ１に記載の方法。
[Ｃ１２]  前記第１の条件と前記第２の条件とのうちの少なくとも１つは、前記第２のＲＡＴネットワークにおける基準シンボル受信電力、キャリア受信信号強度インジケータ、または基準信号受信品質のうちの少なくとも１つがしきい値を超えることに関する、Ｃ１に記載の方法。
[Ｃ１３]  前記第１の条件と前記第２の条件とのうちの少なくとも１つが前記ＵＥのバッテリー電力に関する、Ｃ１に記載の方法。
[Ｃ１４]  前記第１の条件と前記第２の条件とのうちの少なくとも１つが時刻に関する、Ｃ１に記載の方法。
[Ｃ１５]  前記第１の条件と前記第２の条件とのうちの少なくとも１つが、前記第１のＲＡＴネットワークと前記第２のＲＡＴネットワークとのうちの少なくとも１つの負荷に関する、Ｃ１に記載の方法。
[Ｃ１６]  第１のＲＡＴネットワークに接続されている間、第２の無線アクセス技術（ＲＡＴ）ネットワークにおいて測定が行われる状態に入るための手段と、
少なくとも第１の条件が満たされたとき、前記第２のＲＡＴネットワークにおいて行われる測定のレートを選択的に増加させるための手段と、
少なくとも第２の条件が満たされたとき、前記第２のＲＡＴネットワークにおいて行われる測定の前記レートを低減するための手段と
を備える、ユーザ機器（ＵＥ）によるワイヤレス通信のための装置。
[Ｃ１７]  前記第２のＲＡＴネットワークにおいて行われる測定の前記レートを低減するための前記手段が、前記第２のＲＡＴネットワークにおいて行われる測定の前記レートを測定の最小レートに設定するための手段を備える、Ｃ１６に記載の装置。
[Ｃ１８]  測定の前記最小レートが、前記第１のＲＡＴネットワークのために構成された非連続受信（ＤＲＸ）サイクルに関連する周波数に対応する、Ｃ１７に記載の装置。
[Ｃ１９]  測定の前記最小レートが、前記第１のＲＡＴネットワークのために構成されたＤＲＸサイクルに関連する周波数の整数倍に対応する、Ｃ１７に記載の装置。
[Ｃ２０]  前記状態がアイドル状態を備える、Ｃ１６に記載の装置。
[Ｃ２１]  前記第２のＲＡＴネットワークにおいて測定の前記レートを選択的に増加させるための前記手段が、前記第２のＲＡＴネットワークにおける測定の前記レートを所定の最大レートに設定するための手段を備える、Ｃ１６に記載の装置。
[Ｃ２２]  前記所定の最大レートが、整数乗数と、前記第１のＲＡＴネットワークのために定義されたＤＲＸサイクルの周波数との積として計算される、Ｃ２１に記載の装置。
[Ｃ２３]  前記第２のＲＡＴネットワークにおいて測定の前記レートを低減するための前記手段が、前記整数乗数を低減するための手段を備える、Ｃ２２に記載の装置。
[Ｃ２４]  前記第２の条件は、前記第２のＲＡＴネットワークにおける測定されたサービス品質が、予め定義されたしきい値を下回ることに関する、Ｃ１６に記載の装置。
[Ｃ２５]  前記第１のＲＡＴネットワークと前記第２のＲＡＴネットワークとの優先度が定義され、前記第２のＲＡＴネットワークが前記第１のＲＡＴネットワークよりも高い優先度を有する、Ｃ１６に記載の装置。
[Ｃ２６]  前記第１のＲＡＴネットワークにおいて送信されるシステム情報ブロックが、前記第２のＲＡＴネットワークにおける測定の増加されたレートまたは減少されたレートのうちの少なくとも１つを判断するために使用されるＤＲＸサイクルの周波数を定義する、Ｃ１６に記載の装置。
[Ｃ２７]  前記第１の条件と前記第２の条件とのうちの少なくとも１つは、前記第２のＲＡＴネットワークにおける基準シンボル受信電力、キャリア受信信号強度インジケータ、または基準信号受信品質のうちの少なくとも１つがしきい値を超えることに関する、Ｃ１６に記載の装置。
[Ｃ２８]  前記第１の条件と前記第２の条件とのうちの少なくとも１つが前記ＵＥのバッテリー電力に関する、Ｃ１６に記載の装置。
[Ｃ２９]  前記第１の条件と前記第２の条件とのうちの少なくとも１つが時刻に関する、Ｃ１６に記載の装置。
[Ｃ３０]  前記第１の条件と前記第２の条件とのうちの少なくとも１つが、前記第１のＲＡＴネットワークと前記第２のＲＡＴネットワークとのうちの少なくとも１つの負荷に関する、Ｃ１６に記載の装置。
[Ｃ３１]  第１のＲＡＴネットワークに接続されている間、第２の無線アクセス技術（ＲＡＴ）ネットワークにおいて測定が行われる状態に入ることと、少なくとも第１の条件が満たされたとき、前記第２のＲＡＴネットワークにおいて行われる測定のレートを選択的に増加させることと、少なくとも第２の条件が満たされたとき、前記第２のＲＡＴネットワークにおいて行われる測定の前記レートを選択的に低減することとを行うように構成された少なくとも１つのプロセッサと、
前記少なくとも１つのプロセッサに結合されたメモリと
を備える、ユーザ機器（ＵＥ）によるワイヤレス通信のための装置。
[Ｃ３２]  前記少なくとも１つのプロセッサが、前記第２のＲＡＴネットワークにおいて行われる測定の前記レートを測定の最小レートに設定することによって、前記第２のＲＡＴネットワークにおいて行われる測定の前記レートを低減するように構成された、Ｃ３１に記載の装置。
[Ｃ３３]
測定の前記最小レートが、前記第１のＲＡＴネットワークのために構成された非連続受信（ＤＲＸ）サイクルに関連する周波数に対応する、Ｃ３２に記載の装置。
[Ｃ３４]  測定の前記最小レートが、前記第１のＲＡＴネットワークのために構成されたＤＲＸサイクルに関連する周波数の整数倍に対応する、Ｃ３２に記載の装置。
[Ｃ３５]  前記状態がアイドル状態を備える、Ｃ３１に記載の装置。
[Ｃ３６]  前記少なくとも１つのプロセッサが、前記第２のＲＡＴネットワークにおける測定の前記レートを所定の最大レートに設定することによって、前記第２のＲＡＴネットワークにおいて測定の前記レートを増加させるように構成された、Ｃ３１に記載の装置。
[Ｃ３７]  前記少なくとも１つのプロセッサが、前記所定の最大レートを、整数乗数と、前記第１のＲＡＴネットワークのために定義されたＤＲＸサイクルの周波数との積として計算するように構成された、Ｃ３６に記載の装置。
[Ｃ３８]  前記少なくとも１つのプロセッサが、前記整数乗数を低減することによって、前記第２のＲＡＴネットワークにおいて測定の前記レートを低減するように構成された、Ｃ３７に記載の装置。
[Ｃ３９]  前記第２の条件は、前記第２のＲＡＴネットワークにおける測定されたサービス品質が、予め定義されたしきい値を下回ることに関する、Ｃ３１に記載の装置。
[Ｃ４０]  前記第１のＲＡＴネットワークと前記第２のＲＡＴネットワークとの優先度が定義され、前記第２のＲＡＴネットワークが前記第１のＲＡＴネットワークよりも高い優先度を有する、Ｃ３１に記載の装置。
[Ｃ４１]  前記第１のＲＡＴネットワークにおいて送信されるシステム情報ブロックが、前記第２のＲＡＴネットワークにおける測定の増加されたレートまたは減少されたレートのうちの少なくとも１つを判断するために使用されるＤＲＸサイクルの周波数を定義する、Ｃ３１に記載の装置。
[Ｃ４２]  前記第１の条件と前記第２の条件とのうちの少なくとも１つは、前記第２のＲＡＴネットワークにおける基準シンボル受信電力、キャリア受信信号強度インジケータ、または基準信号受信品質のうちの少なくとも１つがしきい値を超えることに関する、Ｃ３１に記載の装置。
[Ｃ４３]  前記第１の条件と前記第２の条件とのうちの少なくとも１つが前記ＵＥのバッテリー電力に関する、Ｃ３１に記載の装置。
[Ｃ４４]  前記第１の条件と前記第２の条件とのうちの少なくとも１つが時刻に関する、Ｃ３１に記載の装置。
[Ｃ４５]  前記第１の条件と前記第２の条件とのうちの少なくとも１つが、前記第１のＲＡＴネットワークと前記第２のＲＡＴネットワークとのうちの少なくとも１つの負荷に関する、Ｃ３１に記載の装置。
[Ｃ４６]  命令を格納した非一時的コンピュータ可読媒体を備える、ユーザ機器（ＵＥ）によるワイヤレス通信のためのコンピュータプログラム製品であって、前記命令は、
第１の無線アクセス技術（ＲＡＴ）ネットワークに接続されている間、第２のＲＡＴネットワークにおいて測定が行われる状態に入ることと、
少なくとも第１の条件が満たされたとき、前記第２のＲＡＴネットワークにおいて行われる測定のレートを選択的に増加させることと、
少なくとも第２の条件が満たされたとき、前記第２のＲＡＴネットワークにおいて行われる測定の前記レートを選択的に低減することと
を行うために１つまたは複数のプロセッサによって実行可能である、コンピュータプログラム製品。
【図１】
0006258291.tif 000003
【図２】
0006258291.tif 000004
【図３】
0006258291.tif 000005
【図４】
0006258291.tif 000006
【図５】
0006258291.tif 000007
【図６】
0006258291.tif 000008
【図７】
0006258291.tif 000009
【図８】
0006258291.tif 000010
【図９】
0006258291.tif 000011
【図１０】
0006258291.tif 000012
【図１０Ａ】
0006258291.tif 000013
【図１１】
0006258291.tif 000014
【図１２】
0006258291.tif 000015
【図１３】
0006258291.tif 000016